(57)【特許請求の範囲】
【請求項１】
写真フイルムストリップの供給を行うフイルム供給部と、遮光紙ストリップの供給を行う遮光紙供給部と、前記写真フイルムストリップと前記遮光紙ストリップをスプールに巻き込む巻込み部と、前記写真フイルムストリップを前記巻込み部に搬送する搬送系とを具備し、
前記フイルム供給部は、フイルムロールから送り出された長尺写真フイルムをフイルム情報に含まれるフイルムサイズに適合した長さに切断するフイルム切断手段を有し、
前記フイルム供給部と前記写真フイルムストリップの搬送系との間に、前記フイルムサイズに応じて前記写真フイルムストリップの搬送動作を変更する搬送動作変更手段を有し、
前記写真フイルムストリップの搬送系と前記遮光紙ストリップの搬送系に、前記フイルムサイズに応じて搬送タイミングを変更するタイミング変更手段を有し、
前記タイミング変更手段は、
前記写真フイルムストリップの搬送系に設置され、前記フイルムサイズに拘わらず写真フイルムストリップの先端を検出して一旦停止を促す信号を出力する第１のセンサと、
前記写真フイルムストリップの搬送系に設置され、最も短い写真フイルムストリップの先端を検出して一旦停止を促す信号を出力する第２のセンサと、
前記巻込み部への前記遮光紙ストリップの搬送系に設置され、前記遮光紙ストリップを一旦停止させて規定の長さに切断するカッタと、
前記遮光紙ストリップの搬送系に設置され、最も短い写真フイルムストリップに対応した遮光紙ストリップの先端傾斜部を検出して一旦停止を促す信号を出力するセンサとを有することを特徴とする写真ロールフイルムの製造装置。
【請求項２】
請求項１記載の写真ロールフイルムの製造装置において、
前記フイルム切断手段は、開始信号生成手段からの前記フイルムサイズに応じた開始信号に基づいて長尺写真フイルムを切断して、今回のフイルムサイズに適合した長さの写真フイルムストリップにすることを特徴とする写真ロールフイルムの製造装置。
【請求項３】
請求項２記載の写真ロールフイルムの製造装置において、
前記開始信号生成手段は、
前記フイルムサイズに応じた複数の原点信号を生成する原点信号生成手段と、
前記原点信号生成手段からの複数の原点信号のうち、今回のフイルムサイズに応じた原点信号を選択して開始信号として出力するセレクタ部とを有することを特徴とする写真ロールフイルムの製造装置。
【請求項４】
請求項３記載の写真ロールフイルムの製造装置において、
前記原点信号生成手段は、
前記フイルムロールからの長尺写真フイルムをエアーの吸引によって密着させながら搬送するサクションドラムの駆動モータを駆動源とし、
前記駆動モータの駆動力を前記フイルム情報に含まれるフイルムサイズの種類に応じた数の円板に伝達し、それぞれ対応する前記フイルムサイズの長さ分だけ長尺写真フイルムが搬送されたときに、それぞれ対応する円板を１回転させる動力伝達機構と、
各円板に取り付けられ、それぞれ対応する円板が１回転したときに検出信号を出力するセンサとを有することを特徴とする写真ロールフイルムの製造装置。
【請求項５】
請求項１〜４のいずれか１項に記載の写真ロールフイルムの製造装置において、
前記搬送動作変更手段は、前記フイルムサイズに拘わらず、前記写真フイルムストリップに対する低速搬送が該写真フイルムストリップの切断の際にだけ行われるように、前記写真フイルムストリップの搬送動作を変更することを特徴とする写真ロールフイルムの製造装置。
【請求項６】
請求項５記載の写真ロールフイルムの製造装置において、
前記搬送動作変更手段は、少なくとも２つのコンベア装置を有して構成され、
そのうち、上流側のコンベア装置の長さが、最も短い写真フイルムストリップの長さとほぼ同じに設定され、
前記搬送動作変更手段を構成するコンベア装置の合計長さが、最も長い写真フイルムストリップの長さとほぼ同じに設定されていることを特徴とする写真ロールフイルムの製造装置。
【請求項７】
請求項６記載の写真ロールフイルムの製造装置において、
各コンベア装置は、前記写真フイルムストリップを上部コンベアと下部コンベアとでニップしながら搬送するタイプであって、
下流側のコンベア装置における上部コンベアの上流側ローラが、上流側のコンベア装置における下部コンベアの下流側ローラの上部に位置決めされていることを特徴とする写真ロールフイルムの製造装置。
【請求項８】
請求項１〜７のいずれか１項に記載の写真ロールフイルムの製造装置において、
前記巻込み部を構成する複数のステーションのうち、前記写真フイルムストリップと前記遮光紙ストリップをスプールに巻き込むステーションの前段のステーションに前記スプールの外観を検査する外観検査手段が設置されていることを特徴とする写真ロールフイルムの製造装置。
【請求項９】
請求項１〜８のいずれか１項に記載の写真ロールフイルムの製造装置において、
前記スプールに巻き込まれた前記遮光紙ストリップの外周に開封シールを巻き付けるシール巻付け部に、前記フイルムサイズに応じて交換可能とされた熱圧着のためのヒータブロックが設置されていることを特徴とする写真ロールフイルムの製造装置。
【請求項１０】
フイルム供給部から送り出された写真フイルムストリップと遮光紙供給部から送り出された遮光紙ストリップを重ね合わせながらスプールに巻き付けて写真ロールフイルムを作製する写真ロールフイルムの製造方法において、
フイルムロールから送り出された長尺写真フイルムをフイルム情報に含まれるフイルムサイズに適合した長さに切断する切断処理と、
切断後の前記写真フイルムストリップの搬送動作を前記フイルムサイズに応じて変更する搬送動作変更処理と、
前記写真フイルムストリップの搬送タイミングと前記遮光紙ストリップの搬送タイミングをフイルムサイズに応じて変更する搬送タイミング変更処理とを有し、
搬送タイミング変更処理は、
前記フイルムサイズに拘わらず写真フイルムストリップの先端を検出して一旦停止を促し、最も短い写真フイルムストリップの先端を検出して一旦停止を促す写真フイルムストリップ搬送停止処理と、
前記遮光紙ストリップを一旦停止させて規定の長さに切断し、最も短い写真フイルムストリップに対応した前記遮光紙ストリップの先端傾斜部を検出して一旦停止を促す遮光紙停止処理とを有することを特徴とする写真ロールフイルムの製造方法。
【請求項１１】
請求項１０記載の写真ロールフイルムの製造方法において、
前記切断処理は、前記フイルムサイズに応じた開始信号に基づいて長尺写真フイルムを切断して、今回のフイルムサイズに適合した長さの写真フイルムストリップにすることを特徴とする写真ロールフイルムの製造方法。
【請求項１２】
請求項１１記載の写真ロールフイルムの製造方法において、
前記開始信号は、前記フイルムサイズに応じた複数の原点信号のうち、今回のフイルムサイズに応じた原点信号に基づくものであることを特徴とする写真ロールフイルムの製造方法。
【請求項１３】
請求項１２記載の写真ロールフイルムの製造方法において、
前記フイルムロールからの長尺写真フイルムをエアーの吸引によって密着させながら搬送するサクションドラムの駆動モータの駆動力を、前記フイルム情報に含まれるフイルムサイズの種類に応じた数の円板に伝達し、それぞれ対応するフイルムサイズの長さ分だけ長尺写真フイルムが搬送されたときに、それぞれ対応する円板を１回転させ、これら円板がそれぞれ１回転したときに前記開始信号として出力させることを特徴とする写真ロールフイルムの製造方法。
【請求項１４】
請求項１０〜１３のいずれか１項に記載の写真ロールフイルムの製造方法において、
前記搬送動作変更処理は、前記フイルムサイズに拘わらず、前記写真フイルムストリップに対する低速搬送が該写真フイルムストリップの切断の際にだけ行われるように、前記写真フイルムストリップの搬送動作を変更することを特徴とする写真ロールフイルムの製造方法。
【請求項１５】
請求項１０〜１４のいずれか１項に記載の写真ロールフイルムの製造方法において、
前記写真フイルムストリップと前記遮光紙ストリップを前記スプールに巻き込む処理を行う前にスプールの外観を検査することを特徴とする写真ロールフイルムの製造方法。
【請求項１６】
請求項１０〜１５のいずれか１項に記載の写真ロールフイルムの製造方法において、
前記スプールに巻き込まれた前記遮光紙ストリップの外周に開封シールを巻き付けるシール巻付け処理として、前記フイルムサイズに応じて交換可能とされた熱圧着のためのヒータブロックを使用することを特徴とする写真ロールフイルムの製造方法。
【発明の詳細な説明】
【０００１】
【発明の属する技術分野】
本発明は、少なくともサイズの異なる２種類の写真ロールフイルムを作製することができる写真ロールフイルムの製造装置及び製造方法に関する。
【０００２】
【従来の技術】
一般に、写真ロールフイルムには、１２０タイプと２２０タイプと呼ばれる種類がある。１２０タイプの写真ロールフイルムは、スプールと、このスプールに巻き付けられる写真フイルムストリップと、この写真フイルムストリップの裏紙として一緒にスプールに巻き付けられる遮光紙ストリップと、写真フイルムストリップの製品上の先端（製造時には後端）を遮光紙ストリップに固定する接着テープと、スプールに巻き付けられた写真フイルムストリップと遮光紙ストリップとの巻き緩みを防止するために遮光紙ストリップの外周に巻き付けられる開封シールと、撮影後に別のスプールに巻き付けられた写真フイルムストリップと遮光紙ストリップとの巻き緩み防止に使用される封印シールとから構成されている。
【０００３】
前記１２０タイプの写真ロールフイルムに用いられる写真フイルムストリップの長さは、６ｃｍ×６ｃｍフォーマットでは１２枚、ブローニーサイズの６ｃｍ×９ｃｍフォーマットでは８枚、ハーフサイズの６ｃｍ×４．５ｃｍフォーマットでは１６枚の撮影を行うことができる長さとなっている。
【０００４】
また、通常の１２０タイプの写真ロールフイルムと同じ構成で写真フイルムストリップと遮光紙ストリップとの長さを半分程度とし、ハーフサイズの６ｃｍ×４．５ｃｍフォーマットで８枚の撮影を行えるようにしたハーフサイズ版の写真ロールフイルムも存在する。
【０００５】
２２０タイプの写真ロールフイルムは、上記の１２０タイプとほぼ同様の構成となっているが、裏紙を廃止し、写真フイルムストリップの先端と後端とに遮光紙ストリップと同じ材質で作られたリーダとトレーラとを取り付け、スプールに巻き付けられる写真フイルムストリップを長くして撮影枚数を増やしている。
【０００６】
そして、前記遮光紙ストリップ、開封シール、封印シールには、スプールに巻き込まれている写真フイルムストリップについてのフイルム情報が予め印刷されている。
【０００７】
このフイルム情報は、写真ロールフイルムが１２０タイプと２２０タイプのいずれであるのかと、写真フイルムストリップの長さがフルサイズかあるいはハーフサイズかを示すフイルムサイズと、ＩＳＯ感度と、写真フイルムストリップがカラーあるいは白黒か、カラーである場合にはネガかリバーサルのいずれであるのかを示すフイルム種と、現像処理方法を示す処理ナンバーとなっている。
【０００８】
写真フイルムストリップには、前記フイルム情報と、ロットナンバーや加工順等の製造情報を表すシリアルナンバーとが写真ロールフイルムの製造時にサイドプリントされる。また、開封シールにも写真ロールフイルムの製造時にシリアルナンバーが印字される。
【０００９】
また、前記フイルム情報と共に、１２０タイプと２２０タイプとの区別をコード化して接着テープに印刷しておき、カメラに写真ロールフイルムを装填して使用する際に、接着テープのバーコードをカメラ側のバーコードリーダで読み取って利用するという提案がなされている。これによれば、従来は、手動操作によって行われていたフイルム感度や撮影枚数のセット、圧板の切換え等の各種設定を自動化することができる。
【００１０】
【発明が解決しようとする課題】
しかしながら、従来の製造装置においては、１つのサイズ、例えばフルサイズに関する写真ロールフイルムを製造する構成を採用している。そのため、２つ以上のサイズに関する写真ロールフイルムを製造する場合は、サイズ毎に製造装置を設置しなければならず、製造設備の大型化、設置スペースの拡大化を招き、製造コストの低廉化に限界が生じるおそれがある。
【００１１】
本発明はこのような課題を考慮してなされたものであり、２つ以上のサイズに関する写真ロールフイルムを簡単に切り換えて製造することができ、製造設備の小型化、設置スペースの縮小化並びに製造コストの低廉化を図ることができる写真ロールフイルムの製造装置及び製造方法を提供することを目的とする。
【００１２】
【課題を解決するための手段】
本発明に係る写真ロールフイルムの製造装置は、写真フイルムストリップの供給を行うフイルム供給部と、遮光紙ストリップの供給を行う遮光紙供給部と、前記写真フイルムストリップと前記遮光紙ストリップをスプールに巻き込む巻込み部と、前記写真フイルムストリップを前記巻込み部に搬送する搬送系とを具備し、前記フイルム供給部が、フイルムロールから送り出された長尺写真フイルムをフイルム情報に含まれるフイルムサイズに適合した長さに切断するフイルム切断手段を有し、フイルム供給部と前記写真フイルムストリップの搬送系との間に、前記フイルムサイズに応じて前記写真フイルムストリップの搬送動作を変更する搬送動作変更手段を有し、前記写真フイルムストリップの搬送系と遮光紙ストリップの搬送系に、前記フイルムサイズに応じて搬送タイミングを変更するタイミング変更手段を有して構成する。
【００１３】
これにより、まず、フイルム切断手段において、フイルムロールから送り出された長尺写真フイルムがフイルム情報に含まれるフイルムサイズに適合した長さに切断される。
【００１４】
次いで、フイルム供給部と写真フイルムストリップの搬送系との間に設置された搬送動作変更手段によって、前記フイルムサイズに応じて前記写真フイルムストリップの搬送動作が変更される。
【００１５】
そして、タイミング変更手段によって、巻込み部への写真フイルムストリップの搬送タイミングと遮光紙ストリップの搬送タイミングが、フイルムサイズに応じて変更される。
【００１６】
つまり、本発明においては、フイルム情報に含まれるフイルムサイズに適合した写真フイルムストリップに切断され、該写真フイルムストリップの搬送動作もフイルムサイズに応じて変更され、更に、巻込み部への写真フイルムストリップの搬送タイミングと遮光紙ストリップの搬送タイミングが、フイルムサイズに応じて変更されることになる。
【００１７】
従って、本発明においては、２つ以上のサイズに関する写真ロールフイルムを簡単に切り換えて製造することができ、製造設備の小型化、設置スペースの縮小化並びに製造コストの低廉化を図ることができる。
【００１８】
そして、前記フイルム切断手段において、開始信号生成手段からの前記フイルムサイズに応じた開始信号に基づいて長尺写真フイルムを切断することにより、今回のフイルムサイズに適合した長さの写真フイルムストリップにするようにしてもよい。
【００１９】
この場合、前記開始信号生成手段は、前記フイルムサイズに応じた複数の原点信号を生成する原点信号生成手段と、前記原点信号生成手段からの複数の原点信号のうち、今回のフイルムサイズに応じた原点信号を選択して開始信号として出力するセレクタ部とを有して構成することができる。
【００２０】
また、原点信号生成手段は、前記フイルムロールからの長尺写真フイルムをエアーの吸引によって密着させながら搬送するサクションドラムの駆動モータを駆動源とし、前記駆動モータの駆動力を前記フイルム情報に含まれるフイルムサイズの種類に応じた数の円板に伝達し、それぞれ対応する前記フイルムサイズの長さ分だけ長尺写真フイルムが搬送されたときに、それぞれ対応する円板を１回転させる動力伝達機構と、各円板に取り付けられ、それぞれ対応する円板が１回転したときに検出信号を出力するセンサとを有して構成することができる。
【００２１】
一方、前記搬送動作変更手段は、前記フイルムサイズに拘わらず、前記写真フイルムストリップに対する低速搬送が該写真フイルムストリップの切断の際にだけ行われるように、前記写真フイルムストリップの搬送動作を変更するようにしてもよい。
【００２２】
これにより、写真フイルムストリップの切断のための写真フイルムストリップの停止時にベルトとの線速差が小さくなり、フイルムの品質を損なうことなく搬送できる。また、写真フイルムストリップを巻込み部に送り込む速さを写真フイルムストリップの長さに拘わらずほぼ一定にすることが可能となり、サイズの異なる写真フイルムストリップの製造を効率よく行うことができる。
【００２３】
この場合、前記搬送動作変更手段は、少なくとも２つのコンベア装置を有して構成することができ、そのうち、上流側のコンベア装置の長さを、最も短い写真フイルムストリップの長さとほぼ同じに設定し、前記搬送動作変更手段を構成するコンベア装置の合計長さを、最も長い写真フイルムストリップの長さとほぼ同じに設定するようにしてもよい。
【００２４】
各コンベア装置としては、前記写真フイルムストリップを上部コンベアと下部コンベアとでニップしながら搬送するタイプである場合、下流側のコンベア装置における上部コンベアの上流側ローラを、上流側のコンベア装置における下部コンベアの下流側ローラの上部に位置決めすることが好ましい。
【００２５】
また、前記タイミング変更手段としては、写真フイルムストリップの搬送系に設置され、前記フイルムサイズに拘わらず写真フイルムストリップの先端を検出して一旦停止を促す信号を出力する第１のセンサと、前記写真フイルムストリップの搬送系に設置され、最も短い写真フイルムストリップの先端を検出して一旦停止を促す信号を出力する第２のセンサと、巻込み部への遮光紙ストリップの搬送系に設置され、前記遮光紙ストリップを一旦停止させて規定の長さに切断するカッタと、前記遮光紙ストリップの搬送系に設置され、最も短い写真フイルムストリップに対応した遮光紙ストリップの先端傾斜部を検出して一旦停止を促す信号を出力するセンサとを有して構成することができる。
【００２６】
なお、巻込み部を構成する複数のステーションのうち、写真フイルムストリップと遮光紙ストリップをスプールに巻き込むステーションの前段のステーションにスプールの外観を検査する外観検査手段を設置することが好ましい。
【００２７】
また、前記構成において、スプールに巻き込まれた遮光紙ストリップの外周に開封シールを巻き付けるシール巻付け部に、前記フイルムサイズに応じて交換可能とされた熱圧着のためのヒータブロックを設置することが好ましい。
【００２８】
次に、本発明は、フイルム供給部から送り出された写真フイルムストリップと遮光紙供給部から送り出された遮光紙ストリップを重ね合わせながらスプールに巻き付けて写真ロールフイルムを作製する写真ロールフイルムの製造方法において、フイルムロールから送り出された長尺写真フイルムをフイルム情報に含まれるフイルムサイズに適合した長さに切断する切断処理と、切断後の写真フイルムストリップの搬送動作を前記フイルムサイズに応じて変更する搬送動作変更処理と、写真フイルムストリップの搬送タイミングと遮光紙ストリップの搬送タイミングをフイルムサイズに応じて変更する搬送タイミング変更処理とを有することを特徴とする。
【００２９】
前記切断処理としては、前記フイルムサイズに応じた開始信号に基づいて長尺写真フイルムを切断して、今回のフイルムサイズに適合した長さの写真フイルムストリップにすることを含む。
【００３０】
この場合、前記開始信号は、前記フイルムサイズに応じた複数の原点信号のうち、今回のフイルムサイズに応じた原点信号に基づくものでもよい。
【００３１】
一例としては、前記フイルムロールからの長尺写真フイルムをエアーの吸引によって密着させながら搬送するサクションドラムの駆動モータの駆動力を、前記フイルム情報に含まれるフイルムサイズの種類に応じた数の円板に伝達し、それぞれ対応するフイルムサイズの長さ分だけ長尺写真フイルムが搬送されたときに、それぞれ対応する円板を１回転させ、これら円板がそれぞれ１回転したときに前記開始信号として出力させるようにしてもよい。
【００３２】
前記搬送動作変更処理は、前記フイルムサイズに拘わらず、前記写真フイルムストリップに対する低速搬送が該写真フイルムストリップの切断の際にだけ行われるように、前記写真フイルムストリップの搬送動作を変更するようにしてもよい。
【００３３】
また、搬送タイミング変更処理としては、前記フイルムサイズに拘わらず写真フイルムストリップの先端を検出して一旦停止を促し、最も短い写真フイルムストリップの先端を検出して一旦停止を促す写真フイルムストリップ搬送停止処理と、遮光紙ストリップを一旦停止させて規定の長さに切断し、最も短い写真フイルムストリップに対応した遮光紙ストリップの先端傾斜部を検出して一旦停止を促す遮光紙停止処理とを含むようにしてもよい。
【００３４】
なお、写真フイルムストリップと遮光紙ストリップをスプールに巻き込む処理を行う前にスプールの外観を検査することが好ましい。
【００３５】
また、スプールに巻き込まれた遮光紙ストリップの外周に開封シールを巻き付けるシール巻付け処理として、前記フイルムサイズに応じて交換可能とされた熱圧着のためのヒータブロックを使用することが好ましい。
【００３６】
【発明の実施の形態】
以下、本発明に係る写真ロールフイルムの製造装置及び製造方法の実施の形態例（以下、単に実施の形態に係る製造装置と記す）を図１〜図１６を参照しながら説明する。
【００３７】
この実施の形態に係る製造装置は、例えば１２０タイプの写真ロールフイルム１０（図１参照）におけるフルサイズとハーフサイズを製造する場合に対応した構成を有する。
【００３８】
１２０タイプの写真ロールフイルム１０は、図１に示すように、フルサイズ及びハーフサイズとも円柱形状の軸部１２の両端に円板形状のフランジ１４が設けられたスプール１６と、このスプール１６の軸部１２に巻き付けられる帯状の写真フイルムである写真フイルムストリップ１８（図２参照）と、この写真フイルムストリップ１８の背面全体に裏紙として配置される遮光紙ストリップ２０とから構成されている。
【００３９】
スプール１６は、フランジ１４の端面にカメラのキー軸に係合されるチャッキング溝２２が形成されている。また、図３に示すように、軸部１２には細長いスリット２４が軸方向に沿って形成されており、該スリット２４の一方の内壁面２４ａには、略Ｔ字型の係止爪２６が一体に形成されており、他方の内壁面２４ｂには係止爪２６を中心として一対の押さえリブ２８が一体に形成されている。
【００４０】
図３に示すように、遮光紙ストリップ２０は帯形状をしており、両端に、製造時にスプール１６に係止される後端部２０ｂと、カメラへの装填時にカメラのスプール１６に係止される先端部２０ａとが形成されている。
【００４１】
これら後端部２０ｂ及び先端部２０ａは、スプール１６のスリット２４に挿入しやすいように、斜めにカットされてから幅狭にされている。先端部２０ａには、円形の係止孔３０が形成されている。
【００４２】
そして、図４に示すように、遮光紙ストリップ２０の先端部２０ａがスプール１６のスリット２４内に挿入されると、係止孔３０に係止爪２６が係合し、押さえリブ２８は係止孔３０と係止爪２６とが外れる方向に遮光紙ストリップ２０が移動しないように遮光紙ストリップ２０を押さえている。
【００４３】
写真フイルムストリップ１８は、遮光紙ストリップ２０の先端から規定の距離をおいて、先端のみが接着テープ３２によって遮光紙ストリップ２０の裏面側に固定されている。この接着テープ３２には、写真フイルムストリップ１８のサイズ、感度、フイルム種を表すバーコード３４が印刷されている。このバーコード３４は、例えばカメラ等に組み込まれたバーコードリーダで読み取られ、カメラでの各種設定の切り換えや制御に用いられる。
【００４４】
また、遮光紙ストリップ２０の表面の先端側には、未使用時に遮光紙ストリップ２０の外側に巻かれて遮光紙ストリップ２０が巻き緩むのを防止する開封シール３６が貼着され、後端側には撮影終了後に遮光紙ストリップ２０の外側に巻かれて遮光紙ストリップ２０が巻き緩むのを防止する封印シール３８が貼着されている。これら開封シール３６及び封印シール３８は、図３中、斜線で示す部分のみが遮光紙ストリップ２０に貼着されている。
【００４５】
開封シール３６は、斜線で示す部分が遮光紙ストリップ２０の先端部２０ａ側の表面に貼着されてから、スプール１６の軸部１２に巻き付けられた遮光紙ストリップ２０の外周に巻き付けられる。この開封シール３６には、図５に示すように、フイルム情報を示す製品名４０が予め印刷されている。また、製品名４０の近傍には、写真フイルムストリップ１８にサイドプリントされたのと同じシリアルナンバー４２が印刷される。
【００４６】
封印シール３８は、製造時には、斜線で示す一端のみが遮光紙ストリップ２０の後端部２０ｂ側の表面に貼付され、遮光紙ストリップ２０と一緒にスプール１６に巻き付けられる。そして、写真フイルムストリップ１８と遮光紙ストリップ２０とがカメラ側のスプール１６に巻き付けられた際に外部に露呈されて、写真フイルムストリップ１８と遮光紙ストリップ２０との巻き緩み防止に使用される。この封印シール３８には、図６に示すように、フイルム情報を示す製品名４４と、処理ナンバー４６とが予め印刷されている。
【００４７】
また、図５及び図６に示すように、遮光紙ストリップ２０の先端部２０ａと後端部２０ｂには、それぞれ写真ロールフイルム１０の仕様を示すフイルム情報５０、５２、５４及び５６が予め印刷されている。
【００４８】
フイルム情報５０は、写真ロールフイルム１０のタイプとフイルム種とを示すもので、例えば「ＣＨ１２０」は、１２０タイプで、内部に巻き込んでいる写真フイルムストリップ１８がカラーネガであることを表す。
【００４９】
フイルム情報５２は、写真ロールフイルム１０のサイズを示すもので、例えば「６×６ｃｍ１２ＥＸＰ」は、巻き込んでいる写真フイルムストリップ１８が６ｃｍ×６ｃｍフォーマットの撮影を１２コマ行えること、即ち、この写真フイルムストリップ１８がフルサイズのものであることを表している。
【００５０】
フイルム情報５４は、写真フイルムストリップ１８の感度を示すもので、例えば「ＩＳＯ４００／２１°」は、ＩＳＯ感度が４００であることを表している。フイルム情報５６は、巻き込んでいる写真フイルムストリップ１８の処理方法を示す処理番号となっている。
【００５１】
そして、本実施の形態に係る製造装置１００は、図７に示すように、写真フイルムストリップ１８の供給を行うフイルム供給部１０２と、遮光紙ストリップ２０の供給を行う遮光紙供給部１０４と、前記写真フイルムストリップ１８と前記遮光紙ストリップ２０をスプール１６に巻き込む巻込み部１０６と、前記写真フイルムストリップ１８を前記巻込み部１０６に搬送する搬送ライン１０８を有して構成されている。各供給部１０２、１０４及び巻込み部１０６には、搬送路に沿って写真フイルムストリップ１８、遮光紙ストリップ２０及びスプール１６に対して加工や各種作業を行うための各種装置が配置されている。
【００５２】
フイルム供給部１０２は、図８に示すように、それぞれ長尺写真フイルム１１０が駆動モータ１１２（図９参照）の回転軸１１４にロール状に巻かれた２つのフイルムロール（第１及び第２のフイルムロール１１６Ａ及び１１６Ｂ）が配置されている。これらの第１及び第２のフイルムロール１１６Ａ及び１１６Ｂは、それぞれ幅広のフイルムベースをロール状にした原反ロールに所定の乳剤を塗布して製造されたマスターロールを、写真フイルムストリップ１８の幅に裁断してロール状に巻いたものである。
【００５３】
第１及び第２のフイルムロール１１６Ａ及び１１６Ｂの各近傍には、各フイルムロール１１６Ａ及び１１６Ｂから送り出された長尺写真フイルム１１０がそれぞれ掛けられるダンサーローラ部１１８が配置されている。
【００５４】
ダンサーローラ部１１８は、例えばプラスチックや金属にて構成され、かつ、鉛直方向にスリット１２０が形成された案内部１２２と、図１０に示すように、該案内部１２２の内部において、その上部及び下部に設けられたローラ１２４及び１２６と、これらローラ１２４及び１２６間に張設されたベルト１２８と、該ベルト１２８のうち、スリット１２０に近接する部分に設けられ、かつ、案内部１２２の外側において前記スリット１２０に沿って上下方向に移動自在とされたダンサーローラ１３０と、前記案内部１２２の外側において、ダンサーローラ１３０を通じて搬送された写真フイルムストリップ１８を後述する切換え装置１４２に導くローラ１３１と、前記ベルト１２８のうち、ダンサーローラ１３０が設けられた部分と反対側の部分に設けられたおもり１３２とを有して構成されている。おもり１３２は、ダンサーローラ１３０の自重による急激な落下と、長尺写真フイルム１１０の搬送に伴う急激な上昇を防ぐために設けられている。
【００５５】
また、前記ローラ１３１にはその回転数に応じたパルスを有する電気信号Ｓｃに変換するロータリーエンコーダ１４０が接続されている。
【００５６】
図９に示すように、前記フイルムロール１１６Ａ及び１１６Ｂが巻かれている回転軸１１４には、該回転軸１１４の回転数に応じたパルス数を有する電気信号Ｓａに変換して出力するロータリーエンコーダ１３４が設けられている。また、図１０に示すように、ダンサーローラ部１１８における案内部１２２内に設置された上部のローラ１２４には、その回転数に応じて電圧レベルが変化する電気信号Ｓｂに変換して出力するポテンショメータ１３６が接続されている。
【００５７】
また、図９に示すように、各フイルムロール１１６Ａ及び１１６Ｂと各ダンサーローラ部１１８との間には、それぞれフイルムロール１１６Ａ及び１１６Ｂから送り出された長尺写真フイルム１１０をダンサーローラ１３０に掛けるためのローラ１３８が設置されている。
【００５８】
図８に示すように、各ダンサーローラ部１１８の上方には、第１及び第２のフイルムロール１１６Ａ及び１１６Ｂのうち、いずれかのフイルムロール１１６Ａ又は１１６Ｂを選択的に切り換える切換え装置１４２が設置され、該切換え装置１４２の上方には、パスローラ１４４と、該パスローラ１４４を介して搬送された長尺写真フイルム１１０をエアーの吸引によって密着させながら搬送するサクションドラム１４６と、該サクションドラム１４６から搬送された長尺写真フイルム１１０を下流側に配置されたフイルムカッタ１４８に向けて搬送する搬送ベルト１５０が設置されている。
【００５９】
サクションドラム１４６は、駆動モータ１６０（図１１参照）によって回転されると共に、周面に多数のエアー吸引孔が設けられており、長尺写真フイルム１１０をエアーの吸引によって密着させながらスリップを生じさせないようにして搬送する。
【００６０】
そして、前記ダンサーローラ部１１８におけるダンサーローラ１３０は、自然状態では、自重によって常時スリット１２０の下部に位置しているが、長尺写真フイルム１１０が掛けられて該長尺写真フイルム１１０の搬送動作に伴う上方への付勢によってスリット１２０の上部に移動する。
【００６１】
長尺写真フイルム１１０に対する切断に伴って長尺写真フイルム１１０の搬送が一時停止されたときは、前記搬送による付勢力がなくなるため、ダンサーローラ１３０は、その自重とおもり１３２によって、前記フイルムロール１１６Ａ又は１１６Ｂによる長尺写真フイルム１１０の送り出しスピードに合わせて下方にゆっくりと移動する。この場合、ダンサーローラ１３０にパウダーブレーキやヒステリシスクラッチ等でテンションを与えると一層好ましい。テンションは、常時与えても、任意の時間与えてもよい。
【００６２】
従って、ダンサーローラ１３０のストローク長は、最低でも、前記長尺写真フイルム１１０の搬送停止時間において、フイルムロール１１６Ａ又は１１６Ｂから送り出されてくる長尺写真フイルム１１０の長さを吸収できる程度の長さを有する。
【００６３】
切換え装置１４２は、ダンサーローラ部１１８から搬送された長尺写真フイルム１１０を上方の搬送路に沿わせるための２つのローラ１７０及び１７２が回転自在に取り付けられ、かつ、支軸１７４を中心に回転自在とされた切換え板１７６と、該切換え板１７６を支軸１７４を中心に両方向に所定角度ほど回転させる往復機構１７８（エアシリンダ）とを有して構成されている。
【００６４】
図８の例では、切換え板１７６が左方向に所定角度ほど回転されて、右側のフイルムロール１１６Ｂから送り出された長尺写真フイルム１１０が切換え板１４２に設けられた右側のローラ１７０を介して上方に搬送されている場合を示す。左側のフイルムロール１１６Ａからの長尺写真フイルム１１０を搬送する場合は、切換え板１４２が右方向に所定角度ほど回転されることによって行われる。
【００６５】
これら駆動モータ１１２（図９参照）、ダンサーローラ部１１８、切換え装置１４２、サクションドラム１４６、搬送ベルト１５０及びフイルムカッタ１４８は、各種制御回路からなる第１の副制御部１８０によって制御される。第１の副制御部１８０は、製造装置１００全体を制御する主制御部１８２によって制御され、また、適宜得たデータを主制御部１８２に入力する。なお、主制御部１８２は、写真ロールフイルム１０を構成する各部品のフイルム情報及び製造情報を照合する照合手段を兼ねている。
【００６６】
ここで、本実施の形態に係る製造装置１００の特徴であるフイルムロール１１６Ａ及び１１６Ｂの回転制御について説明する。
【００６７】
この回転制御は、図９又は図１０に示すように、第１の副制御部１８０にハードウェアとしてあるいはソフトウェアとして組み込まれた回転制御手段１９０によって行われる。
【００６８】
この回転制御手段１９０は、図９に示すように、フイルム長検出部１９２と、回転数計数部１９４と、巻径計算部１９６と、回転数補正部１９８とを有して構成されている。
【００６９】
前記フイルム長検出部１９２は、ローラ１３１の回転数を検出するロータリーエンコーダ１４０からの電気信号Ｓｃのパルス数に基づいて、送り出された長尺写真フイルム１１０の長さを演算し、レジスタ２００に格納されている所定のフイルム長となった時点で第１のタイミング信号Ｓｔ１を出力する。レジスタ２００には、主制御部１８２から送られてきたフイルム長（フルサイズ又はハーフサイズ）が格納されている。
【００７０】
回転数計数部１９４は、フイルム長検出部１９２からの第１のタイミング信号Ｓｔ１の入力に基づいて、駆動モータ１１２の回転軸１１４に取り付けられたロータリーエンコーダ１３４からの電気信号Ｓａのパルス数の計数を開始し、次の第１のタイミング信号Ｓｔ１の入力に基づいて、いままで計数した値（計数値Ｄｃ）を後段の巻径計算部１９６に出力すると同時に、計数値Ｄｃを０リセットする。即ち、例えば奇数番目の第１のタイミング信号Ｓｔ１の入力に基づいて前記パルスの計数を開始し、偶数番目の第１のタイミング信号Ｓｔ１の入力に基づいて計数値Ｄｃを出力すると同時に０リセットする。
【００７１】
なお、ロータリーエンコーダ１３４は、回転数に応じたパルス列が発生する符号板で構成してもよいし、駆動モータ１１２の回転軸１１４が１回転するたびに１つのパルスが出力されるように構成してもよい。
【００７２】
巻径計算部１９６は、回転数計数部１９４からの計数値Ｄｃとレジスタ２００に格納されているフイルム長に基づいてフイルムロール１１６Ａ又は１１６Ｂの現在の巻径を計算し、その計算値Ｄｄを後段の回転数補正部１９８に出力する。
【００７３】
回転数補正部１９８は、巻径計算部１９６にて得られた巻径に適した回転数、即ち、規定フイルム長の写真フイルムを所定時間内に送り出すべき回転数を割り出し、補正回転数Ｄｅとして出力する。
【００７４】
前記回転数補正部１９８から出力される補正回転数Ｄｅは、駆動モータ１１２をフィードバック制御するモータ制御回路２０２に供給される。モータ制御回路２０２は、供給された補正回転数Ｄｅと現在の駆動モータ１１２の回転数とを比較しながら、所定時間内に駆動モータ１１２の回転数が当該補正回転数Ｄｅとなるようにモータ駆動回路２０４に必要な駆動電流を供給する。
【００７５】
これによって、フイルムロール１１６Ａ又は１１６Ｂの巻径に応じた回転数でフイルムロール１１６Ａ又は１１６Ｂを回転させて長尺写真フイルム１１０を連続的に送り出すことができ、効率よく長尺写真フイルム１１０を後段の搬送系に送り出すことができる。
【００７６】
また、この回転制御手段１９０においては、レジスタ２００に今回のフイルムの種類に応じたフイルム長が格納され、該フイルム長に基づいて巻径を計算し、その巻径に応じた補正回転数Ｄｅを求めるようにしているため、作製される写真フイルムストリップ１８の種類に応じた最適な回転数でフイルムロール１１６Ａ又は１１６Ｂから長尺写真フイルム１１０を送り出すことができる。
【００７７】
前記回転制御手段１９０、特にフイルム長検出部１９２と回転数計数部１９４としては、上述のほか、図１０に示すような構成も採用することができる。
【００７８】
即ち、長尺写真フイルム１１０は、フイルムカッタ１４８にて所定長さに切断されるとき、その搬送が一時停止されるが、その停止期間においても、フイルムロール１１６Ａ又は１１６Ｂから長尺写真フイルム１１０が連続的に送り出されることから、ダンサーローラ部１１８におけるダンサーローラ１３０は、その自重によって下方に移動することになる。そのときのダンサーローラ１３０の移動距離を計測することによって、長尺写真フイルム１１０の送り出し長さ（フイルム長）を検出することができる。この移動距離は、図１０に示すように、ダンサーローラ部１１８の上部ローラ１２４に接続されているポテンショメータ１３６からの電気信号Ｓｂの例えば電圧レベルによって検出することができる。
【００７９】
そこで、フイルム長検出部１９２は、ポテンショメータ１３６からの電気信号Ｓｂの電圧レベルが長尺写真フイルム１１０の所定長に相当する電圧レベルに達したときに第２のタイミング信号Ｓｔ２を出力するように構成する。
【００８０】
回転数計数部１９４は、長尺写真フイルム１１０の搬送停止を示す信号（後述する開始信号Ｓｓを使用することができる）の入力に基づいて、ロータリーエンコーダ１３４からの電気信号Ｓａのパルス数の計数を開始し、次の第２のタイミング信号Ｓｔ２の入力に基づいて、いままで計数した値（計数値Ｄｃ）を後段の巻径計算部１９６に出力すると同時に、計数値Ｄｃを０リセットするように構成する。
【００８１】
図１０に示す構成を採用しても、フイルムロール１１６Ａ又は１１６Ｂの巻径に応じた回転数でフイルムロール１１６Ａ又は１１６Ｂを連続的に送り出すことができ、効率よく長尺写真フイルム１１０を後段の搬送系に送り出すことができる。
【００８２】
次に、本実施の形態に係る製造装置１００の特徴である原点信号生成処理について説明する。
【００８３】
この原点信号生成処理は、フイルム供給部１０２に設置された原点信号生成手段２１０（図１１参照）によって行われる。この原点信号生成手段２１０は、図１１に示すように、フルサイズのための第１の原点信号Ｓｇ１を生成する第１の原点信号生成手段２１２と、ハーフサイズのための第２の原点信号Ｓｇ２を生成する第２の原点信号生成手段２１４とを有する。
【００８４】
第１の原点信号生成手段２１２は、サクションドラム１４６を回転駆動する駆動モータ１６０の回転軸２２０に固定された第１のプーリ２２２と、該第１のプーリ２２２の回転駆動がベルト２２４によって伝達される第２のプーリ２２６と、該第２のプーリ２２６と共に回転する第１の円板２２８とを有して構成されている。
【００８５】
第２の原点信号生成手段２１４は、サクションドラム１４６を回転駆動する駆動モータ１６０の回転軸２２０に固定された第３のプーリ２３０と、該第３のプーリ２３０の回転駆動がベルト２３２によって伝達される第４のプーリ２３４と、該第４のプーリ２３４と共に回転する第２の円板２３６とを有して構成されている。
【００８６】
ここで、第１の原点信号生成手段２１２に係る第１及び第２のプーリ２２２及び２２６並びに第１の円板２２８の各径は、サクションドラム１４６で長尺写真フイルム１１０をフルサイズに相当する長さ＋αだけ回転搬送したときに、第１の円板２２８が１回転するように設定されている。
【００８７】
同じく、第２の原点信号生成手段２１４に係る第３及び第４のプーリ２３０及び２３４並びに第２の円板２３６の各径は、サクションドラム１４６で長尺写真フイルム１１０をハーフサイズに相当する長さ＋αだけ回転搬送したときに、第２の円板２３６が１回転するように設定されている。
【００８８】
前記第１及び第２の円板２２８及び２３６には、各円板２２８及び２３６の周縁に設置された光センサ２３８及び２４０にて検出可能とされた図示しないユニークなマークが付着、あるいは窓が形成されている。
【００８９】
従って、駆動モータ１６０によってサクションドラム１４６が一方向に回転駆動されて長尺写真フイルム１１０をフルサイズに相当する長さ＋αだけ搬送したときに第１の円板２２８が１回転し、前記長尺写真フイルム１１０をハーフサイズに相当する長さ＋αだけ搬送したときに、第２の円板２３６が１回転し、それぞれ光センサ２３８及び２４０を通して検出信号（原点信号）Ｓｇ１及びＳｇ２が出力される。各光センサ２３８及び２４０からの検出信号Ｓｇ１及びＳｇ２は、第１の副制御部１８０に第１及び第２の原点信号Ｓｇ１及びＳｇ２として入力される。
【００９０】
一方、図７に示すように、サクションドラム１４６の近傍には、該サクションドラム１４６によって吸着された長尺写真フイルム１１０の乳剤面に対向してプリントヘッド２５０が設けられている。
【００９１】
プリントヘッド２５０は、長尺写真フイルム１１０の搬送方向に対して直交する向きにライン状に配列された多素子発光部と、多素子発光部からの光を長尺写真フイルム１１０のエッジ部分に縮小して結像させる光学系とから構成され、第１の副制御部１８０に含まれる制御回路と共にサイドプリント手段であるサイドプリント部２５２を構成している。
【００９２】
このサイドプリント部２５２は、第１の副制御部１８０からの開始信号Ｓｓ（図１２参照）の入力に基づいて、同じく第１の副制御部１８０から入力されたプリントデータＤｐに従って長尺写真フイルム１１０にサイドプリントを行う。開始信号Ｓｓは、第１の副制御部１８０に組み込まれた開始信号生成手段２６０によって生成される。
【００９３】
この開始信号生成手段２６０は、図１２に示すように、レジスタ２６２に格納されているフイルムサイズ（フルサイズ又はハーフサイズの区別情報）に基づいて選択信号Ｓｄの属性を変更する選択信号生成部２６４と、入力される第１及び第２の原点信号Ｓｇ１及びＳｇ２のうち、選択信号Ｓｄの属性に応じた原点信号Ｓｇ１又はＳｇ２を選択し、開始信号Ｓｓとして出力するセレクタ部２６６とを有して構成されている。
【００９４】
即ち、この開始信号生成手段２６０は、入力される第１及び第２の原点信号Ｓｇ１及びＳｇ２のうち、今回のフイルムサイズに対応する原点信号Ｓｇ１又はＳｇ２を選択して開始信号Ｓｓとして出力する。
【００９５】
サイドプリント部２５２に入力されるプリントデータＤｐは、例えばオペレータ等によって主制御部１８２に入力されるフイルム情報と製造情報である製造名とシリアルナンバーとが第１の副制御部１８０に送出され、該第１の副制御部１８０によってプリントデータＤｐに変換されてサイドプリント部２５２に入力される。
【００９６】
また、前記サクションドラム１４６の下流側には、第２の副制御部３１０によって制御される搬送ベルト１５０及びフイルムカッタ１４８が設置されている。
【００９７】
サクションドラム１４６の下流側に配置された搬送ベルト１５０は、長尺写真フイルム１１０を下流側に配置されたフイルムカッタ１４８に向けて搬送する。このフイルムカッタ１４８は、可動刃と固定刃からなり、第１の副制御部１８０から第２の副制御部３１０に開始信号Ｓｓが入力された時点で、切断が開始され、第２の副制御部３１０によって制御されながら長尺写真フイルム１１０を今回のフイルムサイズ（フルサイズ又はハーフサイズ）に応じた長さの写真フイルムストリップ１８に切断する。
【００９８】
図１１の例では、フイルムカッタ１４８の切断タイミングを開始信号Ｓｓの第２の副制御部３１０への入力に基づいて電気的に行うようにしたが、その他、機構的に行うようにしてもよい。この場合、図１３に示すように、サクションドラム１４６の駆動モータの回転軸２２０に入力出力比が１／１の第１の減速機２７０を設置し、この第１の減速機２７０に入力出力比が１／１の第２の減速機２７２を例えばベルト駆動系２７４を介して連結する。更に、この第２の減速機２７２の回転軸２７６に第２の円板２３６と入力出力比が２／１の第３の減速機２７８を連結し、該第３の減速機２７８の回転軸２８０に第１の円板２２８を固定する。
【００９９】
第１及び第２の円板２２８及び２３６には、各円板２２８及び２３６の周縁に設置された光センサ２３８及び２４０にて検出可能とされた図示しないユニークなマークが付着、あるいは窓が形成されている。
【０１００】
これにより、サクションドラム１４６が１回転する毎に第２の円板２３６が１回転し、サクションドラム１４６が２回転する毎に第１の円板２２８が１回転することになる。従って、サクションドラム１４６が１回転する毎に（ハーフサイズの写真フイルムストリップ１８の長さ＋α）の長さに対応する長尺写真フイルム１１０が送り出されるようになっていれば、第１の円板２２８に対応する光センサ２３８からは、フルサイズに対応した第１の原点信号Ｓｇ１が出力され、第２の円板２３６に対応する光センサ２４０からは、ハーフサイズに対応した第２の原点信号Ｓｇ２が出力されることになる。
【０１０１】
前記駆動モータ１６０の回転軸２２０に取り付けられた第１の減速機２７０には、また、この第１の減速機２７０に入力出力比が１／１の第４の減速機２８２が例えばベルト駆動系２８４を介して連結され、この第４の減速機２８２に入力出力比が２／１の第５の減速機２８６が例えばベルト駆動系２８８を介して連結されている。
【０１０２】
第４及び第５の減速機２８２及び２８６の各回転軸には、それぞれローラギア２９０及び２９２が設けられ、これらローラギア２９０及び２９２には、フイルムカッタ１４８を有するユニット２９４（フイルムカッタユニット）から延在する往復用のアーム２９６及び２９８が１ポジションクラッチ３００及び３０２を介して選択的に連結されるようになっている。
【０１０３】
つまり、長尺写真フイルム１１０をフルサイズの写真フイルムストリップ１８に切断する場合は、第５の減速機２８６に連結されたローラギア２９２と、フイルムカッタユニット２９４から延在するアーム２９８とがクラッチ３０２を介して連結される。これにより、サクションドラム１４６が２回転する毎にフイルムカッタ１４８が１往復し、長尺写真フイルム１１０は、フルサイズの写真フイルムストリップ１８として切断されることになる。
【０１０４】
長尺写真フイルム１１０をハーフサイズの写真フイルムストリップ１８に切断する場合は、第４の減速機２８２に連結されたローラギア２９０と、フイルムカッタユニット２９４から延在するアーム２９６とがクラッチ３００を介して連結される。これにより、サクションドラム１４６が１回転する毎にフイルムカッタ１４８が１往復し、長尺写真フイルム１１０は、ハーフサイズの写真フイルムストリップ１８として切断されることになる。
【０１０５】
このように、サクションドラム１４６、原点信号生成手段２１０、第１の副制御部１８０内の開始信号生成手段２６０、搬送ベルト１５０及びフイルムカッタ１４８は、フイルムロール１１６Ａ又は１１６Ｂから送り出された長尺写真フイルム１１０をフイルム情報に含まれるフイルムサイズ（フルサイズ又はハーフサイズ）に適合した長さに切断するフイルム切断手段として機能することになる。
【０１０６】
図７に示すように、フイルムカッタ１４８の搬送方向の下流側には、第２の副制御部３１０にて制御され、切断後の写真フイルムストリップ１８を後段の搬送ライン１０８に搬送するコンベア装置３１２が設置されている。後段の搬送ライン１０８は、写真フイルムストリップ１８を一方向に搬送する本線３１４と該本線３１４から枝分かれして、遮光紙ストリップ２０の供給やスプール１６の供給等を行う複数の支線３１６から構成されている。本線３１４は複数組の搬送ベルトから構成され、各支線３１６は、後述するテープ貼付部３３２までの搬送路が搬送ベルトで構成されている。
【０１０７】
写真フイルムストリップ１８の本線３１４から支線３１６への振り分けは、本線３１４上に設置されたセレクタ部３１８を介して行われる。セレクタ部３１８は、順次送られてくる写真フイルムストリップ１８を第２の副制御部３１０の制御に従って本線３１４と支線３１６とに順番に振り分ける。
【０１０８】
一方、コンベア装置３１２は、図１４Ａに示すように、２つのコンベア（上流側コンベア３２０と下流側コンベア３２２）を有して構成されている。これらのコンベア３２０及び３２２の長さは、上流側コンベア３２０の長さが（ハーフサイズの写真フイルムストリップ１８の長さ＋α）の長さを有し、これら上流側コンベア３２０と下流側コンベア３２２の合計の長さが（フルサイズの写真フイルムストリップ１８の長さ＋α）と同じ長さにされている。
【０１０９】
そして、第２の副制御部３１０は、今回、搬送する写真フイルムストリップ１８がフルサイズであれば、これらコンベア３２０及び３２２を同期させて駆動し、一体化されたコンベアとして回転駆動させる。
【０１１０】
具体的には、コンベア３２０及び３２２が共に高速動作している間に、搬送ベルト１５０とコンベア装置３１２によって長尺写真フイルム１１０が一定の長さ（この場合、フルサイズに相当する長さ）だけ搬送されたとき、即ち、第１の副制御部１８０から第２の副制御部３１０に開始信号Ｓｓが入力された時点で、該第２の副制御部３１０の制御によって搬送ベルト１５０とコンベア装置３１２による長尺写真フイルム１１０の搬送動作が低速となり、次いで、フイルムカッタ１４８によって長尺写真フイルム１１０の所要箇所が切断されて、フルサイズの写真フイルムストリップ１８とされる。
【０１１１】
このとき、写真フイルムストリップ１８は上流側コンベア３２０から下流側コンベア３２２にわたって存在することになる。
【０１１２】
長尺写真フイルム１１０の切断が終了した時点で、第２の副制御部３１０は、コンベア装置３１２の各コンベア３２０及び３２２を同期駆動してフルサイズの写真フイルムストリップ１８を高速搬送する。この搬送によって、次の長尺写真フイルム１１０が搬送ベルト１５０を介してこのコンベア装置３１２に搬送される。
【０１１３】
つまり、コンベア装置３１２の各コンベア３２０及び３２２は、長尺写真フイルム１１０を切断する際は共に低速搬送し、長尺写真フイルム１１０に対する切断が終了してフルサイズの写真フイルムストリップ１８とした時点で、該写真フイルムストリップ１８を高速搬送するように制御される。
【０１１４】
また、第２の副制御部３１０は、今回、搬送する写真フイルムストリップ１８がハーフサイズであれば、下流側コンベア３２２に対して、常時、写真フイルムストリップ１８の高速搬送制御を行い、上流側コンベア３２０に対して、写真フイルムストリップ１８の低速搬送制御と高速搬送制御とを行う。
【０１１５】
具体的には、コンベア３２０及び３２２が共に高速動作している間に、搬送ベルト１５０と上流側コンベア３２０によって長尺写真フイルム１１０が一定の長さ（この場合、ハーフサイズに相当する長さ）だけ高速搬送されたとき、即ち、第１の副制御部１８０から第２の副制御部３１０に開始信号Ｓｓが入力された時点で、該第２の副制御部３１０の制御によって搬送ベルト１５０は停止し、上流側コンベア３２０による長尺写真フイルム１１０の搬送動作は低速となり、次いで、フイルムカッタ１４８によって長尺写真フイルム１１０の所要箇所が切断されて、ハーフサイズの写真フイルムストリップ１８とされる。この切断中に、下流側コンベア３２２にあったハーフサイズの写真フイルムストリップ１８が後段の搬送ライン１０８に高速搬送される。
【０１１６】
前記切断が終了すると、再び上流側コンベア３２０と下流側コンベア３２２が高速搬送駆動され、これによって、今回切断された写真フイルムストリップ１８が下流側コンベア３２２に高速搬送され、同時に搬送ベルト１５０を介して次の長尺写真フイルム１１０が上流側コンベア３２０に高速搬送される。上述の一連の動作が繰り返されることで、ハーフサイズの写真フイルムストリップ１８が順次後段の搬送ライン１０８に搬送されることになる。
【０１１７】
ここで、コンベア装置３１２の構成例として、例えば図１４Ｂに示すように、搬送路長がフルサイズの写真フイルムストリップ１８の長さとほぼ同じ長さを有する１つのコンベア３２４で構成した場合（比較例）、フルサイズの写真フイルムストリップ１８を搬送する上では問題ないが、ハーフサイズの写真フイルムストリップ１８を搬送する場合、以下に示すような問題が生ずる。
【０１１８】
即ち、ハーフサイズの写真フイルムストリップ１８は、フルサイズの半分の長さを有するため、長尺写真フイルム１１０を切断している間に、前回切断した写真フイルムストリップ１８がコンベア３２４の下流部分に存在することになる。従って、コンベア３２４による搬送を停止して切断を行う場合は、前回切断の写真フイルムストリップ１８の搬送も停止され、その分、単位時間当たりの処理数（スループット）が低下することになり、製造効率の向上を図ることができない。
【０１１９】
これに対して、本実施の形態に係る製造装置１００では、コンベア装置３１２を上流側コンベア３２０と下流側コンベア３２２とに２分割して、各コンベア３２０及び３２２を個別に制御するようにしたので、長尺写真フイルム１１０を切断している間に、前回切断の写真フイルムストリップ１８を高速に後段の搬送ライン１０８に搬送することができ、その分、スループットの向上並びに製造効率の向上を図ることができる。
【０１２０】
特に、この実施の形態においては、上流側コンベア３２０の下流側ローラ３２０ａが下流側コンベア３２２の上流側ローラ３２２ａの上部に位置するように構成している。そのため、上流側コンベア３２０上に存在していたハーフサイズの写真フイルムストリップ１８は、スムーズに下流側コンベア３２２側に搬送されることになり、写真フイルムストリップ１８の高速搬送を容易に実現させることができる。
【０１２１】
このように、前記コンベア装置３１２は、フイルムサイズに応じて写真フイルムストリップ１８の搬送動作を変更する搬送動作変更手段として機能することになる。
【０１２２】
そして、この実施の形態に係る製造装置１００において、各支線３１６には、第３の副制御部３３０によって制御されるテープ貼付部３３２が設置されている。
【０１２３】
このテープ貼付部３３２は、写真フイルムストリップ１８の搬送方向の後端（製品形態では先端）に接着テープ３２（図２参照）を貼り付ける。第３の副制御部３３０は、各種制御回路からなり、製造装置１００全体を制御する主制御部１８２によって制御され、また、適宜得たデータを主制御部１８２に入力する。
【０１２４】
この支線３１６におけるテープ貼付部３３２の後段には、前記第３の副制御部３３０で制御される３つの搬送ローラ対３４０ａ、３４０ｂ及び３４０ｃが設置されている。また、第３の搬送ローラ対３４０ｃの下流側には、写真フイルムストリップ１８の先端を検出する第１の光センサ３４６が設置され、第２の搬送ローラ対３４０ｂの下流側には、写真フイルムストリップ１８の先端を検出する第２の光センサ３４８が設置されている。
【０１２５】
テープ貼付部３３２から第１の光センサ３４６までの距離は、フルサイズの写真フイルムストリップ１８の長さとほぼ同じであり、テープ貼付部３３２から第２の光センサ３４８までの距離は、ハーフサイズの写真フイルムストリップ１８の長さとほぼ同じである。
【０１２６】
そして、搬送過程にある写真フイルムストリップ１８の先端が第１の光センサ３４６によって検出された時点でその搬送が停止され、このとき、フルサイズの写真フイルムストリップ１８の後端がテープ貼付部３３２に位置するようになっている。
【０１２７】
また、搬送過程にある写真フイルムストリップ１８の先端が第２の光センサ３４８によって検出された時点でその搬送が停止され、このとき、ハーフサイズの写真フイルムストリップ１８の後端がテープ貼付部３３２に位置するようになっている。
【０１２８】
第１の光センサ３４６は、常時イネーブル状態とされているが、第２の光センサ３４８は、ハーフサイズの写真フイルムストリップ１８が搬送されるときのみイネーブル状態とされる。
【０１２９】
一方、テープ貼付部３３２は、ロール状に巻かれた離型紙ロール３５０から接着テープ３２が貼り付けられた離型紙３５２を引き出し、この離型紙３５２から接着テープ３２を剥がして写真フイルムストリップ１８の後端に接着する。
【０１３０】
このテープ貼付部３３２に供給される接着テープ３２には、予めフイルム情報を表すバーコード３４が印刷されているが、テープ貼付部３３２にバーコード印刷用のプリンタを設け、写真ロールフイルム１０の製造中に接着テープ３２にバーコード３４を印刷することもできる。
【０１３１】
また、離型紙ロール３５０の近傍で引き出された接着テープ３２に対面する位置には、接着テープ３２のバーコード３４を読み取るバーコードリーダ３５４が配置されている。このバーコードリーダ３５４は、読み取ったバーコード３４の内容を第３の副制御部３３０に出力する。該第３の副制御部３３０は、バーコード３４の内容をフイルム情報に変換して主制御部１８２に出力する。
【０１３２】
前記３組の搬送ローラ対３４０ａ〜３４０ｃは、それぞれ対応する第１〜第３の移動駆動機構３５６ａ〜３５６ｃにより、搬送路に対して接近する方向及び離反する方向に移動可能とされている。これら３つの移動駆動機構３５６ａ〜３５６ｃは、同じく第３の副制御部３３０によって制御される。
【０１３３】
そして、フルサイズの写真フイルムストリップ１８を搬送する場合は、まず、第２及び第３の移動駆動機構３５６ｂ及び３５６ｃによって第２及び第３の搬送ローラ対３４０ｂ及び３４０ｃが搬送路から離反する方向に移動され、写真フイルムストリップ１８は、第１の搬送ローラ対３４０ａによって搬送される。
【０１３４】
テープ貼付部３３２に写真フイルムストリップ１８の後端が位置した時点で、第１の光センサ３４６からの検出信号の出力によって、一旦、写真フイルムストリップ１８の搬送が停止され、テープ貼付部３３２を通じて接着テープ３２が貼り付けられる。その後、第１の移動駆動機構３５６ａによって第１の搬送ローラ対３４０ａが搬送路から離反する方向に移動されると同時に、第３の移動駆動機構３５６ｃによって第３の搬送ローラ対３４０ｃが搬送路に接近する方向に移動され、写真フイルムストリップ１８は、第３の搬送ローラ対３４０ｃによって搬送される。
【０１３５】
次に、ハーフサイズの写真フイルムストリップ１８を搬送する場合は、まず、第２及び第３の移動駆動機構３５６ｂ及び３５６ｃによって第２及び第３の搬送ローラ対３４０ｂ及び３４０ｃが搬送路から離反する方向に移動され、写真フイルムストリップ１８は、第１の搬送ローラ対３４０ａによって搬送される。
【０１３６】
そして、テープ貼付部３３２に写真フイルムストリップ１８の後端が位置した時点で、第２の光センサ３４８からの検出信号の出力によって、一旦、写真フイルムストリップ１８の搬送が停止され、テープ貼付部３３２を通じて接着テープ３２が貼り付けられる。
【０１３７】
その後、第１の移動駆動機構３５６ａによって第１の搬送ローラ対３４０ａが搬送路から離反する方向に移動されると同時に、第２の移動駆動機構３５６ｂによって第２の搬送ローラ対３４０ｂが搬送路に接近する方向に移動され、写真フイルムストリップ１８は、第２の搬送ローラ対３４０ｂによって搬送される。
【０１３８】
次いで、第１の光センサ３４６からの検出信号の出力により、再び写真フイルムストリップ１８の搬送が停止され、第２の移動駆動機構３５６ｂによって第２の搬送ローラ対３４０ｂが搬送路から離反する方向に移動されると同時に、第３の移動駆動機構３５６ｃによって第３の搬送ローラ対３４０ｃが搬送路に接近する方向に移動される。所定時間経過後に、写真フイルムストリップ１８は、第３の搬送ローラ対３４０ｃによって後段に搬送される。
【０１３９】
このように、テープ貼付部３３２の後段の搬送系に３つの搬送ローラ対３４０ａ〜３４０ｃを設置して、これら３つの搬送ローラ対３４０ａ〜３４０ｃを写真フイルムストリップ１８の搬送状態に応じて適宜切り換え、更に第２の搬送ローラ対３４０ｂの下流側にハーフサイズの写真フイルムストリップ１８を検出する第２の光センサ３４８を設置するようにしたので、フルサイズの写真フイルムストリップ１８のほか、ハーフサイズの写真フイルムストリップ１８に対しても接着テープ３２の貼付並びに後段への搬送を容易に行うことができる。
【０１４０】
つまり、第１〜第３の搬送ローラ対３４０ａ〜３４０ｃ並びに第１及び第２の光センサ３４６及び３４８は、巻込み部１０６への写真フイルムストリップ１８の搬送において、写真フイルムストリップ１８のフイルムサイズに応じてその搬送タイミングを変更するタイミング変更手段として機能することになる。
【０１４１】
次に、図１５に示すように、遮光紙供給部１０４には、長尺遮光紙３６０がロール状に巻かれた遮光紙ロール３６２が配置されている。この遮光紙ロール３６２は、予め遮光紙ストリップ２０が連続して印刷されており、遮光紙ストリップ２０の後端部２０ｂを先頭にして、裏面側が上方を向いている状態で、図１５中、左方に搬送される。
【０１４２】
この搬送路沿いには、搬送ローラ対３６４及び３６６、ダンサーローラ３６８、ＣＣＤカメラ３７０、トリミング部３７２が配置されている。これらは各種制御回路からなる第４の副制御部３７４によって制御される。第４の副制御部３７４は、製造装置１００全体を制御する主制御部１８２によって制御され、また、適宜得たデータを主制御部１８２に入力する。
【０１４３】
搬送ローラ対３６４は、長尺遮光紙３６０を挟み込んで回転して遮光紙ロール３６２から長尺遮光紙３６０を引き出すためのもので、第４の副制御部３７４に接続されたモータ３７６によって回転駆動される。ダンサーローラ３６８は、上下方向に移動自在とされており、図示しないが、自重によって下方に向けて引っ張られている。バネによって下方に引っ張るようにしてもよい。このダンサーローラ３６８の近傍には、該ダンサーローラ３６８の下方への移動を検出するセンサ３７８が設けられており、このセンサ３７８の検出信号は、第４の副制御部３７４に入力される。
【０１４４】
ＣＣＤカメラ３７０は、長尺遮光紙３６０に予め印刷されているフイルム情報を読み取る手段であり、長尺遮光紙３６０の表面に対向して配置されている。このＣＣＤカメラ３７０は、搬送ローラ対３６６によって搬送される長尺遮光紙３６０のフイルム情報を撮像し、この撮像データを文字データに変換し、この文字データに該当するフイルム情報を主制御部１８２に入力する。
【０１４５】
トリミング部３７２は、長尺遮光紙３６０の外形のトリミングを行う手段であり、ダイス部３７２ａとパンチ部３７２ｂとから構成されている。長尺遮光紙３６０は、このトリミング部３７２で遮光紙ストリップ２０の先端部２０ａと後端部２０ｂとに該当する部分が幅狭にされ、係止孔３０が穿孔される。
【０１４６】
トリミング部３７２の下流側には、第５の副制御部３８０に制御されるモータ３８２によって回転駆動される２つの搬送ローラ対３８４及び３８６と、前記第５の副制御部３８０によって制御されるシール貼付部３９０とが配置されている。このシール貼付部３９０は、長尺遮光紙３６０に印刷された遮光紙ストリップ２０の後端部２０ｂの近傍に封印シール３８を貼り付ける。
【０１４７】
第５の副制御部３８０は、各種制御回路からなり、製造装置１００全体を制御する主制御部１８２によって制御され、また、適宜得たデータを主制御部１８２に入力する。
【０１４８】
シール貼付部３９０は、帯状の封印シール３８がロール状に巻かれたロール３９２から封印シール３８を引き出し、該封印シール３８を所定の幅に切断した後、長尺遮光紙３６０の表面に熱溶着する。
【０１４９】
また、前記ロール３９２の近傍で引き出された封印シール３８に対向する位置には、封印シール３８に予め印刷されているフイルム情報を読み取るＣＣＤカメラ３９６が配置されている。このＣＣＤカメラ３９６は、封印シール３８に印刷されたフイルム情報である製品名と処理ナンバーとを撮像し、この撮像データを第５の副制御部３８０に入力する。第５の副制御部３８０は、入力された撮像データを文字データに変換し、この文字データに該当するフイルム情報を主制御部１８２に入力する。
【０１５０】
シール貼付部３９０の下流側には、長尺遮光紙３６０を遮光紙ストリップ２０に切断する遮光紙カッタ３９８が配置されている。この遮光紙カッタ３９８は、可動刃と固定刃とからなり、第５の副制御部３８０によって制御される。
【０１５１】
遮光紙カッタ３９８と後述する巻込み部１０６の第３ステーションＳＴ３間の距離は、フルサイズに対応する遮光紙ストリップ２０の長さとほぼ同じ長さにされている。
【０１５２】
シール貼付部３９０と遮光紙カッタ３９８の間には、ハーフサイズに対応した遮光紙ストリップ２０を作製する場合に、長尺遮光紙３６０におけるトリミング部分の境界位置を検出する光センサ４０２が設置され、該光センサ４０２にて長尺遮光紙３６０における前記トリミング部分の境界位置が検出されたとき、シール貼付部３９０に、遮光紙ストリップ２０の封印シール３８を貼付すべき部分がくるように設定されている。この光センサ４０２は、ハーフサイズに対応した遮光紙ストリップ２０が搬送されるときのみイネーブル状態とされる。
【０１５３】
そして、フルサイズに対応した遮光紙ストリップ２０を作製する場合は、長尺遮光紙３６０がフルサイズに対応した所定長ほど搬送した時点、即ち、長尺遮光紙３６０の先端が巻込み部１０６の第３ステーションＳＴ３にかかった時点で、一旦停止され、遮光紙カッタ３９８による切断が行われると同時に、シール貼付部３９０において遮光紙ストリップ２０に対し封印シール３８が貼付される。遮光紙カッタ３９８による切断が終了した時点で、遮光紙ストリップ２０は後段のラインに搬送される。
【０１５４】
ハーフサイズに対応した遮光紙ストリップ２０を作製する場合は、ハーフサイズに対応した遮光紙ストリップ２０が搬送ローラ対３８６によって後段のラインに搬送される。
【０１５５】
また、光センサ４０２がイネーブル状態とされ、長尺遮光紙３６０におけるトリミング部分の境界位置が光センサ４０２にて検出された時点で、長尺遮光紙３６０の搬送が一旦停止され、シール貼付部３９０によって封印シール３８が貼付される。その後、再び長尺遮光紙３６０の搬送が開始され、ハーフサイズに対応する所定長ほど搬送された時点で、一旦停止され、遮光紙カッタ３９８による切断（トリミング部分の境界位置に対する切断）が行われる。
【０１５６】
このように、シール貼付部３９０と遮光紙カッタ３９８の間にハーフサイズに対応する遮光紙ストリップ（長尺遮光紙におけるトリミング部分の境界）を検出する光センサ４０２を設置するようにしたので、フルサイズの遮光紙ストリップ２０のほか、ハーフサイズの遮光紙ストリップ２０に対しても封印シール３８の貼付並びに後段への搬送を容易に行うことができる。
【０１５７】
つまり、前記光センサ４０２は、巻込み部１０６への遮光紙ストリップ２０の搬送において、写真フイルムストリップ１８のフイルムサイズに応じてその搬送タイミングを変更するタイミング変更手段として機能することになる。
【０１５８】
次に、巻込み部１０６は、図１６に示すように、第６の副制御部４１０にて制御されるモータ４１２によって軸４１４を中心に間欠に回転される円板形状のスプールターレット４１６と、このスプールターレット４１６の外周に配置された各装置部とから構成されている。第６の副制御部４１０は、各種制御回路からなり、製造装置１００全体を制御する主制御部１８２によって制御され、また、適宜得たデータを主制御部１８２に入力する。
【０１５９】
スプールターレット４１６は、軸４１４に回転自在に取り付けられており、モータ４１２によって、図１６中、時計方向に４５°ずつ間欠回転される。このスプールターレット４１６には、８個のスプールホルダが設けられている。各スプールホルダが停止する位置は、スプール１６に対して各種作業が行われる第１ステーションＳＴ１〜第８ステーションＳＴ８となっている。
【０１６０】
第１ステーションＳＴ１は、別のラインで製造され搬送されてきたスプール１６をスプールホルダ４１８にセットする。
【０１６１】
第２ステーションＳＴ２は、供給されたスプール１６の外観（曲がり、欠け）を検査する外観検査部４２０と、該外観検査部４２０にて良品と判別されたスプール１６のスリット２４（図３参照）の向きを所定の位置に位置決めするスプール位置決め部４２２が設置されている。
【０１６２】
スプール１６の外観検査は、例えば第６ステーションＳＴ６で行うようにしてもよいが、写真フイルムストリップ１８と遮光紙ストリップ２０が巻き付けられる前に検査しておけば、外観不良のスプール１６に写真フイルムストリップ１８と遮光紙ストリップ２０を巻き付けてしまうことを回避することができ、写真フイルムストリップ１８と遮光紙ストリップ２０の無用の損失を防止することができる。
【０１６３】
第３ステーションＳＴ３は、スプール１６に遮光紙ストリップ２０と写真フイルムストリップ１８とを巻き込む巻込み機構４２４が設置されている。第２ステーションＳＴ２で位置決めされたスプール１６のスリット２４には、搬送ローラ対３８６で搬送されてきた長尺遮光紙３６０の先端（製品形態での後端部）が挿入される。
【０１６４】
フルサイズの場合においては、長尺遮光紙３６０の先端がスリット２４に挿入されると、この状態で、巻込み機構４２４は、スプール１６を巻込み方向に数回転分回転させ、フルサイズあるいはハーフサイズの遮光紙ストリップ２０の後端部２０ｂをスプール１６に巻き付ける。
【０１６５】
遮光紙ストリップ２０がスプール１６に僅かに巻き付けられると、支線３１６を通じて搬送されてきた写真フイルムストリップ１８が遮光紙ストリップ２０の裏面に重ね合わされる。
【０１６６】
巻込み機構４２４は、更にスプール１６を巻込み方向に回転させ、遮光紙ストリップ２０と写真フイルムストリップ１８とをスプール１６に巻き付ける。また、この際に、写真フイルムストリップ１８の後端に接着された接着テープ３２を遮光紙ストリップ２０の裏面に貼付し、写真フイルムストリップ１８を遮光紙ストリップ２０に固定する。長尺遮光紙３６０は遮光紙カッタ３９８によって切断されて遮光紙ストリップ２０となる。
【０１６７】
第３ステーションＳＴ３で写真フイルムストリップ１８と遮光紙ストリップ２０とが巻き付けられたスプール１６は、遮光紙ストリップ２０が巻き緩まないように押さえられたままスプールターレット４１６の回転によって次の第４ステーションＳＴ４に搬送される。第４ステーションＳＴ４では、折込み部４２６によって遮光紙ストリップ２０の先端部２０ａが内側に折り込まれる。
【０１６８】
第５ステーションＳＴ５には、遮光紙ストリップ２０の外周に開封シール３６を巻き付けるシール巻付け部４２８が配置されている。このシール巻付け部４２８は、帯状の開封シール３６がロール状に巻かれたロール４３０から開封シール３６を引き出し、該開封シール３６を所定の幅に切断した後、遮光紙ストリップ２０の外周に巻き付ける。
【０１６９】
このシール巻付け部４２８は、開封シール３６を遮光紙ストリップ２０の外周に熱圧着するための２種類のヒートブロック４３４Ａ及び４３４Ｂが具備されている。各ヒートブロック４３４Ａ及び４３４Ｂは、スプール１６に巻かれた遮光紙ストリップ２０の外径に合わせた半円形の凹部を有する。即ち、フルサイズの遮光紙ストリップ２０は、ハーフサイズの遮光紙ストリップ２０よりも長いため、その分、スプール１６に巻かれた後の外径がハーフサイズよりも大きくなる。従って、本実施の形態では、フルサイズに対応したヒートブロック４３４Ａと、ハーフサイズに対応したヒートブロック４３４Ｂを具備し、処理されるフイルムサイズに応じて交換するようにしている。
【０１７０】
これにより、フイルムサイズに応じて接着テープ３２を確実に貼付することができ、写真フイルムストリップ１８や遮光紙ストリップ２０の巻き緩みを効果的に防止することができる。
【０１７１】
また、前記ロール４３０の近傍で、引き出された開封シール３６に対向する位置には、インクジェットプリンタのプリントヘッド４３６が配置されている。このプリントヘッド４３６は、開封シール３６の搬送方向に対して直交する向きにライン状に配されたインクノズルと、これらのインクノズルからインクを吹き出させるインク吹出し機構とから構成され、第６の副制御部４１０に含まれる制御回路と共に印字部を構成している。なお、インクジェットプリンタの代わりに熱転写プリンタを使用するようにしてもよい。
【０１７２】
この印字部は、入力されたプリントデータに従って開封シール３６にシリアルナンバーを印字する。印字部に入力されるプリントデータは、例えばオペレータ等によって主制御部１８２に入力された製造情報であるシリアルナンバーが第６の副制御部４１０に送出され、該第６の副制御部４１０によってプリントデータに変換されて印字部に入力される。
【０１７３】
また、プリントヘッド４３６の近傍には、開封シール３６に予め印刷されているフイルム情報を読み取るＣＣＤカメラ４３８が配置されている。このＣＣＤカメラ４３８は、開封シール３６に印刷されたフイルム情報である製造名を撮像し、この撮像データを第６の副制御部４１０に出力する。この第６の副制御部４１０は、入力された撮像データを文字データに変換し、この文字データに該当するフイルム情報を主制御部１８２に入力する。
【０１７４】
第６ステーションＳＴ６には、写真ロールフイルム１０のフイルム情報と製造情報の照合結果を検出する情報検出部４４０と、該情報検出部４４０での照合結果が不一致であった場合に、写真ロールフイルム１０を装置外に排出する選別機構４４２とが設けられている。
【０１７５】
第７ステーションＳＴ７には、巻径を計測する巻径計測部４４４と、良品であると判断された写真ロールフイルム１０を次の集積部４４６に搬送し、不良品であると判断された写真ロールフイルム１０を装置外に排出する選別機構４４８が設けられている。巻径計測部４４４は、集積部４４６に搬送する途中にあってもよい。
【０１７６】
また、第８ステーションＳＴ８には、第７ステーションＳＴ７の選別機構４４８で選別できなかった残品（写真ロールフイルム１０）を回収するための集積部４５０が設けられている。
【０１７７】
次に、本実施の形態に係る製造装置１００の動作について図７、図８、図１５及び図１６を参照しながら説明する。
【０１７８】
まず、オペレータは、製造する写真ロールフイルム１０に使用するフイルムロール１１６Ａ及び１１６Ｂをフイルム供給部１０２にセットし、離型紙ロール３５０をテープ貼付部３３２にセットし、遮光紙ロール３６２を遮光紙供給部１０４にセットする。同様に、封印シール３８のロール３９２をシール貼付部３９０に、スプール１６を巻込み部１０６に、開封シール３６のロール４３０をシール巻付け部４２８にそれぞれセットする。
【０１７９】
また、オペレータは、長尺写真フイルム１１０と開封シール３６とにサイドプリント及び印字されるフイルム情報及び製造情報であるフイルム種、製品名及びシリアルナンバーとを入力すると共に、主制御部１８２に製造スタートの指示を行う。
【０１８０】
主制御部１８２は、第１の副制御部１８０に対して今回作製する写真ロールフイルム１０のフイルム種、製品名及びシリアルナンバー等を供給する。第１の副制御部１８０は、主制御部１８２の制御によって、切換え装置１４２が動作され、第１及び第２のフイルムロール１１６Ａ及び１１６Ｂのうち、いずれかのフイルムロール１１６Ａ又は１１６Ｂが選択される。以降の説明では、便宜的にフイルムロール１１６Ｂを選択した場合について説明する。
【０１８１】
そして、第１の副制御部１８０によって前記選択されたフイルムロール１１６Ｂの回転軸１１４が回転駆動される。この回転軸１１４の回転によってフイルムロール１１６Ｂから長尺写真フイルム１１０が送り出され、ダンサーローラ部１１８を介してサクションドラム１４６及びフイルムカッタ１４８の方向に搬送される。このとき、第１の副制御部１８０に組み込まれた回転制御手段１９０（図９又は図１０参照）を通じて、フイルムロール１１６Ｂの巻径に応じた回転数でフイルムロール１１６Ｂが回転されて長尺写真フイルム１１０が連続的に送り出されることになる。
【０１８２】
サクションドラム１４６に搬送された長尺写真フイルム１１０は、サクションドラム１４６のエアー吸引によってサクションドラム１４６の周面に密着され、スリップしないように搬送される。また、主制御部１８２に入力されていたフイルム情報と製造情報である製品名とシリアルナンバーは、第１の副制御部１８０によってプリントデータＤｐに変換されている。
【０１８３】
プリントヘッド２５０は、このプリントデータＤｐに基づいて、サクションドラム１４６により搬送される長尺写真フイルム１１０の端縁に、製品名とシリアルナンバーと、コマ番号等をサイドプリントする。このサイドプリントは、原点信号生成手段２１０（図１１又は図１３参照）からの第１及び第２の原点信号Ｓｇ１及びＳｇ２に基づく第１の副制御部１８０からの開始信号Ｓｓの入力に基づいて行われる。
【０１８４】
サイドプリントが行われた長尺写真フイルム１１０は、搬送ベルト１５０によってフイルムカッタ１４８に向けて搬送される。このフイルムカッタ１４８は、第１の副制御部１８０から第２の副制御部３１０への開始信号Ｓｓの入力に基づいて、あるいは図１３に示す各減速機による機構的なタイミングによって、フイルムサイズに応じた長さに長尺写真フイルム１１０を切断し、撮影可能コマ数に応じた所定の長さの写真フイルムストリップ１８（フルサイズ又はハーフサイズ）にする。
【０１８５】
規定の長さに切断された写真フイルムストリップ１８は、コンベア装置３１２を介してセレクタ部３１８に搬送される。このときコンベア装置３１２は、フルサイズの写真フイルムストリップ１８を搬送する場合は、その切断の際に、上流側コンベア３２０と下流側コンベア３２２とが共に低速搬送動作し、長尺写真フイルム１１０に対する切断が終了してフルサイズの写真フイルムストリップ１８とされた時点で、該写真フイルムストリップ１８を上流側コンベア３２０と下流側コンベア３２２とで高速搬送するように制御される。
【０１８６】
また、コンベア装置３１２は、ハーフサイズの写真フイルムストリップ１８を搬送する場合、その切断の際に、上流側コンベア３２０が低速搬送動作され、下流側コンベア３２２は前回切断のハーフサイズの写真フイルムストリップ１８を高速で後段のラインに搬送する。前記切断処理が終了した時点で上流側コンベア３２０及び下流側コンベア３２２が共に高速搬送制御され、今回切断の写真フイルムストリップ１８が下流側コンベア３２２に搬送される。
【０１８７】
コンベア装置３１２によって搬送された写真フイルムストリップ１８は、次のセレクタ部３１８によって本線３１４と支線３１６とに振り分けられる。支線３１６に送り込まれた写真フイルムストリップ１８はテープ貼付部３３２に向けて搬送される。
【０１８８】
テープ貼付部３３２では、離型紙ロール３５０から離型紙３５２を引き出し、該離型紙３５２から接着テープ３２を剥離して写真フイルムストリップ１８の搬送方向の後端（製品での先端）に貼付するという処理を行う。
【０１８９】
また、このテープ貼付部３３２では、離型紙ロール３５０から引き出された接着テープ３２に印刷されているバーコード３４をバーコードリーダ３５４で読み取る。バーコードリーダ３５４は、読み取ったバーコード３４の内容を第３の副制御部３３０に出力し、第３の副制御部３３０は、バーコード３４の内容をフイルム情報に変換して主制御部１８２に入力する。
【０１９０】
そして、写真フイルムストリップ１８がフルサイズの場合は、第１の搬送ローラ対３４０ａによって搬送され、第１の光センサ３４６によってその上流側先端が検出された時点で搬送が停止され、この時点で写真フイルムストリップ１８の搬送方向の後端（製品での先端）に接着テープ３２が貼付される。その後、写真フイルムストリップ１８は、第３の搬送ローラ対３４０ｃによって巻込み部１０６に向けて搬送される。
【０１９１】
写真フイルムストリップ１８がハーフサイズの場合は、まず、第１の搬送ローラ対３４０ａによって搬送され、第２の光センサ３４８によってその上流側先端が検出された時点で搬送が停止され、この時点で写真フイルムストリップ１８の搬送方向の後端（製品での先端）に接着テープ３２が貼付される。その後、第２の搬送ローラ対３４０ｂによって搬送され、第１の光センサ３４６によってその上流側先端が検出された時点で搬送が停止される。その後、写真フイルムストリップ１８は、第３の搬送ローラ対３４０ｃによって巻込み部１０６に向けて搬送される。
【０１９２】
また、前記フイルム供給部１０２の作動と同時に、遮光紙供給部１０４も作動されている。第４の副制御部３７４は、主制御部１８２の制御によって、その制御下にあるモータ３７６で搬送ローラ対３６４及び３６６を回転駆動する。搬送ローラ対３６４は、長尺遮光紙３６０を挟み込んで回転し、長尺遮光紙３６０を遮光紙ロール３６２から引き出す。これにより、ダンサーローラ３６８がばねの付勢によって下方に移動し、ダンサーローラ３６８がセンサ３７８によって検出される。
【０１９３】
センサ３７８の検出信号は、第４の副制御部３７４に入力され、第４の副制御部３７４はこの検出信号に基づいて搬送ローラ対３６６の回転を停止し、搬送ローラ対３６６を回転させる。これにより、ダンサーローラ３６８の移動によって留められた一定長さの長尺遮光紙３６０は、トリミング部３７２に向けて搬送される。
【０１９４】
長尺遮光紙３６０は、このトリミング部３７２への搬送途中でＣＣＤカメラ３７０によってフイルム情報５０、５２、５４、５６（図５及び図６参照）が撮像される。ＣＣＤカメラ３７０で撮像された撮像データは第４の副制御部３７４に入力され、第４の副制御部３７４は入力された撮像データを文字データに変換し、この文字データに該当するフイルム情報を主制御部１８２に入力する。
【０１９５】
トリミング部３７２では、パンチ部３７２ｂが下降してダイス部３７２ａと共に長尺遮光紙３６０を挟み込み、印刷されている遮光紙ストリップ２０の先端部２０ａと後端部２０ｂとに対応する部分を幅狭にトリミングし、更に係止孔３０を穿孔する。
【０１９６】
トリミング部３７２でトリミングが行われた長尺遮光紙３６０は、搬送ローラ対３８４によってシール貼付部３９０に搬送される。このシール貼付部３９０では、ロール３９２から封印シール３８を引き出し、所定の幅に切断して長尺遮光紙３６０の表面に貼付する。
【０１９７】
また、このシール貼付部３９０では、ロール３９２から引き出された封印シール３８に印刷されている製品名と処理ナンバーとをＣＣＤカメラ３９６で撮像する。ＣＣＤカメラ３９６は、撮像した撮像データを第５の副制御部３８０に出力し、第５の副制御部３８０は、入力された撮像データを文字データに変換し、この文字データに該当するフイルム情報を主制御部１８２に入力する。
【０１９８】
そして、遮光紙ストリップ２０がフルサイズに対応したタイプの場合は、フルサイズに対応した所定長だけ搬送された時点で、遮光紙カッタ３９８によって切断が行われて遮光紙ストリップ２０とされると同時に、遮光紙ストリップ２０の表面に封印シール３８が貼付される。
【０１９９】
遮光紙ストリップ２０がハーフサイズに対応したタイプの場合は、まず、遮光紙ストリップ２０のうち、上流側先端のトリミングされた部分が光センサ４０２によって検出された時点で搬送が停止され、この時点で長尺遮光紙３６０の表面に封印シール３８が貼付される。その後、再び搬送が開始され、ハーフサイズに対応した所定長だけ搬送された時点で遮光紙カッタ３９８によって切断が行われる。
【０２００】
更に、前記フイルム供給部１０２、遮光紙供給部１０４の作動と同時に、巻込み部１０６も作動されている。第６の副制御部４１０は、主制御部１８２の制御下にあるモータ４１２でスプールターレット４１６を軸４１４を中心に、図１６中、時計方向に間欠に回転させる。
【０２０１】
スプールターレット４１６の回転により、空のスプールホルダが第１ステーションＳＴ１に停止すると、巻込み部１０６から供給されたスプール１６がスプールホルダにセットされる。スプールターレット４１６の回転により、スプール１６が保持されたスプールホルダが第２ステーションＳＴ２に停止されると、まず、外観検査部４２０によってスプール１６の外観（曲がり、欠け）が検査され、良品と判別されたスプール１６のみがスプール位置決め部４２２によってスリット２４の向きが位置決めされる。
【０２０２】
スリット２４の向きが位置決めされたスプール１６が第３ステーションＳＴ３に搬送されると、この第３ステーションＳＴ３においてスプール１６への写真フイルムストリップ１８と遮光紙ストリップ２０の巻込みが行われる。
【０２０３】
具体的には、フルサイズに対応した遮光紙ストリップ２０の場合は、搬送ローラ対３８６によって搬送された長尺遮光紙３６０の先端（製品形態での後端部）がスリット２４に挿入される。長尺遮光紙３６０の先端がスリット２４に挿入されると、長尺遮光紙３６０は、遮光紙カッタ３９８によって切断されてフルサイズに対応した遮光紙ストリップ２０となる。この状態で、巻込み機構４２４は、スプール１６を巻込み方向に数回転分だけ回転させ、遮光紙ストリップ２０の後端部２０ｂをスプール１６に巻き付ける。
【０２０４】
一方、ハーフサイズに対応した遮光紙ストリップ２０の場合は、搬送ローラ対３８６によって搬送されたハーフサイズに対応した遮光紙ストリップ２０の先端部２０ａ（製品形態での後端部２０ｂ）がスリット２４に挿入される。この状態で、巻込み機構４２４は、スプール１６を巻込み方向に数回転分だけ回転させ、遮光紙ストリップ２０の後端部２０ｂをスプール１６に巻き付ける。
【０２０５】
遮光紙ストリップ２０がスプール１６に僅かに巻き付けられると、支線３１６から写真フイルムストリップ１８が第３の搬送ローラ対３４０ｃによって搬送されてきて、遮光紙ストリップ２０の裏面に重ね合わされる。
【０２０６】
この状態で巻込み機構４２４は更にスプール１６を巻込み方向に回転させ、遮光紙ストリップ２０と写真フイルムストリップ１８とをスプール１６に全て巻き付ける。また、この際に写真フイルムストリップ１８の後端に接着された接着テープ３２を遮光紙ストリップ２０の裏面に貼付し、写真フイルムストリップ１８を遮光紙ストリップ２０に固定する。
【０２０７】
第３ステーションＳＴ３で写真フイルムストリップ１８と遮光紙ストリップ２０とが巻き付けられたスプール１６は、遮光紙ストリップ２０が巻き緩まないように押さえられたまま、スプールターレット４１６の回転によって次の第４ステーションＳＴ４に搬送される。この第４ステーションＳＴ４では、折込み部４２６によって遮光紙ストリップ２０の先端部２０ａが内側に折り込まれる。
【０２０８】
第５ステーションＳＴ５では、シール巻付け部４２８がロール４３０から開封シール３６を引き出し、所定の幅に切断して、遮光紙ストリップ２０の外周に巻き付ける。
【０２０９】
また、ロール４３０からシール巻付け部４２８に搬送される途中の開封シール３６には、第６の副制御部４１０から入力されたプリントデータに基づいて、プリントヘッド４３６によってシリアルナンバーの印字が行われる。このプリントデータは、主制御部１８２に入力された製造情報であるシリアルナンバーが第６の副制御部４１０によってプリントデータに変換されたものである。
【０２１０】
更に、シリアルナンバーの印字と遮光紙ストリップ２０への巻き付けとの間では、ＣＣＤカメラ４３８によって開封シール３６のフイルム情報である製品名が撮像される。ＣＣＤカメラ４３８で撮像された撮像データは、第６の副制御部４１０に入力され、該第６の副制御部４１０は、入力された撮像データを文字データに変換し、この文字データに該当するフイルム情報を主制御部１８２に入力する。
【０２１１】
開封シール３６が巻き付けられて完成した写真フイルムストリップ１８は、スプールターレット４１６の回転によって第６ステーションＳＴ６に搬送される。この第６ステーションＳＴ６では、巻径計測部４４４によって巻径の太さが計測される。この計測結果は、第６の副制御部４１０から主制御部１８２に入力されて保存される。巻径計測部４４４による巻径計測は、第７ステーションＳＴ７で排出された後に行ってもよい。
【０２１２】
また、主制御部１８２では、予め入力されたサイドプリント及び印字用のフイルム情報及び製造情報と、各部で読み取られ適宜入力されたフイルム情報との照合を行う。この照合結果は、主制御部１８２によって保存される。照合結果が不整合であった場合には、主制御部１８２は、オペレータに警報を発すると共に、ディスプレイ等に照合結果を表示する。オペレータは、この表示内容を確認し、一旦、製造装置１００を停止して誤って供給した構成部品の交換等を行う。
【０２１３】
第６ステーションＳＴ６に搬送された写真ロールフイルム１０は、不良品である場合又はフイルム情報及び製造情報の照合結果が不整合であった場合のいずれか、あるいは両方である場合に、スプールホルダ４１８から取り出され、製造装置１００外に排出される。
【０２１４】
また、フイルム情報及び製造情報の照合結果が一致していると確認された写真ロールフイルム１０は、第７ステーションＳＴ７において巻径計測が行われ、巻径が規定値内にある場合、集積部４４６に送り出されて、次の包装装置等に搬送される。巻径が規定値外であれば、スプールホルダ４１８から取り出され、製造装置１００外に排出される。第８ステーションＳＴ８では、製品やスプール１６の残品を検出する。
【０２１５】
このように、各構成部品の情報に不整合があった場合には、警報を発すると共に、誤った構成部品で製造された写真ロールフイルム１０は出荷されることがないため、製品の信頼性を維持することができる。
【０２１６】
また、この実施の形態に係る製造装置１００を次のように制御して写真ロールフイルム１０を製造することもできる。
【０２１７】
即ち、長尺写真フイルム１１０へのサイドプリント用のフイルム情報及び製造情報と、開封シール３６への印字用の製造情報とを別々に主制御部１８２に入力し、該主制御部１８２でこれらの情報の照合を行う。これらの情報が一致しなかった場合には、主制御部１８２はオペレータに正しい情報の再度の入力を求める。
【０２１８】
また、情報が一致した場合には、上述した実施の形態に係る製造装置１００と同様に製造装置１００を作動させて写真ロールフイルム１０の製造を行い、この製造途中で各構成部品のフイルム情報を読み取る。そして、同様に主制御部１８２で入力された情報と読み取った情報との照合を行う。
【０２１９】
照合結果が不整合であった場合には、主制御部１８２はオペレータに警報を発し、ディスプレイ等に照合結果を表示すると共に、誤った構成部品で製造された写真ロールフイルム１０を第６ステーションＳＴ６で選別機構４４２を通じて製造装置１００外に排出する。
【０２２０】
また、フイルム情報及び製造情報の照合結果が一致していると確認された写真ロールフイルム１０は、第７ステーションＳＴ７で集積部４４６に送り出され、次の包装装置等に搬送される。
【０２２１】
この実施の形態に係る製造装置１００では、最初に主制御部１８２に入力される情報の照合を行い、これらの一致を確認してから製造を開始するため、製造中に情報が不整合になる確率を減少させることができ、製品の信頼性を維持させることができる。
【０２２２】
このように、本実施の形態に係る製造装置１００においては、フイルムロール１１６Ａ又は１１６Ｂから送り出された長尺写真フイルム１１０をフイルム情報に含まれるフイルムサイズに適合した長さに切断するフイルム切断手段（サクションドラム１４６、原点信号生成手段２１０、開始信号生成手段２６０、搬送ベルト１５０及びフイルムカッタ１４８）と、フイルムサイズに応じて写真フイルムストリップ１８の搬送動作を変更する搬送動作変更手段（コンベア装置３１２）と、巻込み部１０６への写真フイルムストリップ１８の搬送タイミングをフイルムサイズに応じて変更するタイミング変更手段（第１〜第３の搬送ローラ対３４０ａ〜３４０ｃ並びに第１及び第２の光センサ３４６及び３４８）と、巻込み部１０６への遮光紙ストリップ２０の搬送タイミングをフイルムサイズに応じて変更するタイミング変更手段（光センサ４０２）とを設けるようにしたので、２つ以上のサイズに関する写真ロールフイルム１０を簡単に切り換えて製造することができ、製造設備の小型化、設置スペースの縮小化並びに製造コストの低廉化を図ることができる。
【０２２３】
なお、この発明に係る写真ロールフイルムの製造装置及び製造方法は、上述の実施の形態に限らず、この発明の要旨を逸脱することなく、種々の構成を採り得ることはもちろんである。
【０２２４】
【発明の効果】
以上説明したように、本発明に係る写真ロールフイルムの製造装置及び製造方法によれば、２つ以上のサイズに関する写真ロールフイルムを簡単に切り換えて製造することができ、製造設備の小型化、設置スペースの縮小化並びに製造コストの低廉化を図ることができる。
【図面の簡単な説明】
【図１】本実施の形態に係る製造装置で作製される写真ロールフイルムを示す斜視図である。
【図２】接着テープと写真フイルムストリップの説明図である。
【図３】写真ロールフイルムの構成を示す分解斜視図である。
【図４】スプールのスリット内を示す正面図である。
【図５】開封シールと遮光紙ストリップの先端部を示す説明図である。
【図６】封印シールと遮光紙ストリップの後端部を示す説明図である。
【図７】本実施の形態に係る製造装置を示す構成図である。
【図８】本実施の形態に係る製造装置のフイルム供給部を示す構成図である。
【図９】回転制御手段の一例を示す構成図である。
【図１０】回転制御手段の他の例を示す構成図である。
【図１１】原点信号生成手段の一例を示す構成図である。
【図１２】開始信号生成手段の一例を示す構成図である。
【図１３】原点信号生成手段の他の例を示す構成図である。
【図１４】図１４Ａは本実施の形態に係る製造装置のコンベア装置を示す説明図であり、図１４Ｂは比較例に係るコンベア装置を示す説明図である。
【図１５】本実施の形態に係る製造装置の遮光紙供給部を示す構成図である。
【図１６】本実施の形態に係る製造装置の巻込み部を示す構成図である。
【符号の説明】
１０…写真ロールフイルム            １８…写真フイルムストリップ
２０…遮光紙ストリップ              ３２…接着テープ
３６…開封シール                    ３８…封印シール
１００…製造装置                    １０２…フイルム供給部
１０４…遮光紙供給部                １０６…巻込み部
１１０…長尺写真フイルム            １１２…駆動モータ
１１４…回転軸                      １１６Ａ…第１のフイルムロール
１１６Ｂ…第２のフイルムロール      １１８…ダンサーローラ部
１４６…サクションドラム            １４８…フイルムカッタ
１８０…第１の副制御部              １８２…主制御部
１９０…回転制御手段                １９２…フイルム長検出部
１９４…回転数計数部                １９６…巻径計算部
１９８…回転数補正部                ２１０…原点信号生成手段
２１２…第１の原点信号生成手段      ２１４…第２の原点信号生成手段
２５０…プリントヘッド              ２５２…サイドプリント部
２６０…開始信号生成手段            ２６４…選択信号生成部
２６６…セレクタ部                  ３１０…第２の副制御部
３１２…コンベア装置                ３１４…本線
３１６…支線                        ３１８…セレクタ部
３２０…上流側コンベア              ３２２…下流側コンベア
３３０…第３の副制御部              ３３２…テープ貼付部
３４０ａ〜３４０ｃ…第１〜第３の搬送ローラ対
３４６、３４８…第１及び第２の光センサ
３６０…長尺遮光紙                  ３７４…第４の副制御部
３８０…第５の副制御部              ３８６…搬送ローラ対
３９０…シール貼付部                ３９８…遮光紙カッタ
４０２…光センサ                    ４１０…第６の副制御部
４１６…スプールターレット          ４１８…スプールホルダ
４２０…外観検査部                  ４２２…スプール位置決め部
４２４…巻込み機構                  ４２６…折込み部
４２８…シール巻付け部              ４３４Ａ、４３４Ｂ…ヒートブロック
４４４…巻径計測部                  ４４６、４５０…集積部
【図１】
0003968186.tif 000002
【図２】
0003968186.tif 000003
【図３】
0003968186.tif 000004
【図４】
0003968186.tif 000005
【図５】
0003968186.tif 000006
【図６】
0003968186.tif 000007
【図７】
0003968186.tif 000008
【図８】
0003968186.tif 000009
【図９】
0003968186.tif 000010
【図１０】
0003968186.tif 000011
【図１１】
0003968186.tif 000012
【図１２】
0003968186.tif 000013
【図１３】
0003968186.tif 000014
【図１４】
0003968186.tif 000015
【図１５】
0003968186.tif 000016
【図１６】
0003968186.tif 000017